(57)【要約】  本発明は、集塵ユニットを一時的に取り外した状態で掃除機本体を掃除機スタンドに載置できる電気掃除機を提供することを目的とする。本発明に係る電気掃除機１は、掃除機本体４、掃除機本体４に対して着脱可能な集塵ユニット７、吸込具６及び延長管５を有する掃除機セット２と、台座部８及び支柱部９を有した掃除機スタンド３と、を備え、掃除機本体４は、前端部から下向きに延びた吸込管３１と、吸込管３１の後側に固定され、下方に突き出した本体側凸部３２と、を有し、集塵ユニット７は、掃除機本体４に取り付けられている状態において本体側凸部３２よりも上方に位置し、支柱部９の上面の前端部には、下方に凹んだスタンド側凹部２９が形成され、掃除機本体４は、集塵ユニット７が取り付けられているか否かに関係なく、本体側凸部３２とスタンド側凹部２９とが嵌め合わされることで支柱部９に支持されるものである。
2016114046.tif 000002
【特許請求の範囲】
【請求項１】
掃除機本体、前記掃除機本体に対して着脱可能な集塵ユニット、吸込具及び一端部が前記掃除機本体に接続可能であり他端部が前記吸込具に接続可能である延長管を有する掃除機セットと、
台座部及び前記台座部から直立して形成された支柱部を有し、前記掃除機セットが載置される掃除機スタンドと、
を備え、
前記掃除機本体は、
前端部から下向きに延びた吸込管と、
前記吸込管の後側に固定され、下方に突き出した本体側凸部と、
を有し、
前記集塵ユニットは、前記掃除機本体に取り付けられている状態において前記本体側凸部よりも上方に位置し、
前記支柱部の上面の前端部には、下方に凹んだスタンド側凹部が形成され、
前記掃除機本体は、前記集塵ユニットが取り付けられているか否かに関係なく、前記本体側凸部と前記スタンド側凹部とが嵌め合わされることで前記支柱部に支持される電気掃除機。
【請求項２】
前記吸込管には、
前記本体側凸部よりも下方に位置し、前記延長管が接続可能である吸込口と、
前記本体側凸部よりも上方に位置し、前記集塵ユニットが前記掃除機本体に取り付けられている場合に前記集塵ユニットの内部に通じる流入口と、
が形成され、
前記支柱部の前面には、上下方向に沿って後方に凹んだ支柱前面凹部が形成され、
前記吸込管及び前記吸込口に接続されている前記延長管は、前記掃除機本体が前記支柱部に支持された状態において前記支柱前面凹部に沿って保持される請求項１に記載の電気掃除機。
【請求項３】
前記スタンド側凹部は、スタンド側端子を有し、
前記本体側凸部は、前記スタンド側凹部と嵌め合わされた状態で前記スタンド側端子と接触する本体側端子を有し、
前記掃除機本体の内部には、前記本体側端子と前記スタンド側端子とが接触している状態で充電される蓄電池が設けられた請求項１又は２に記載の電気掃除機。
【発明の詳細な説明】
【技術分野】
【０００１】
本発明は、電気掃除機に関するものである。
【背景技術】
【０００２】
下記特許文献１には、掃除機本体と、掃除機本体が載置されるスタンド部と、を備えた電気掃除機が記載されている。掃除機本体の内部には、集塵室が設けられている。
【先行技術文献】
【特許文献】
【０００３】
【特許文献１】日本特開２０１４−１２４４４３号公報
【発明の概要】
【発明が解決しようとする課題】
【０００４】
特許文献１に記載の集塵室は、手軽に取り外すことができない。このため、特許文献１に記載の電気掃除機では、例えば、集塵室だけを一時的に取り外したまま掃除機本体をスタンド部に載置しておくことができない。【０００５】
本発明は、上記の課題を解決するためになされた。その目的は、集塵ユニットを一時的に取り外した状態で掃除機本体を掃除機スタンドに載置できる電気掃除機を提供することである。
【課題を解決するための手段】
【０００６】
本発明に係る電気掃除機は、掃除機本体、掃除機本体に対して着脱可能な集塵ユニット、吸込具及び一端部が掃除機本体に接続可能であり他端部が吸込具に接続可能である延長管を有する掃除機セットと、台座部及び台座部から直立して形成された支柱部を有し、掃除機セットが載置される掃除機スタンドと、を備え、掃除機本体は、前端部から下向きに延びた吸込管と、吸込管の後側に固定され、下方に突き出した本体側凸部と、を有し、集塵ユニットは、掃除機本体に取り付けられている状態において本体側凸部よりも上方に位置し、支柱部の上面の前端部には、下方に凹んだスタンド側凹部が形成され、掃除機本体は、集塵ユニットが取り付けられているか否かに関係なく、本体側凸部とスタンド側凹部とが嵌め合わされることで支柱部に支持されるものである。
【発明の効果】
【０００７】
本発明に係る電気掃除機において、掃除機本体は、集塵ユニットが取り付けられているか否かに関係なく、本体側凸部とスタンド側凹部とが嵌め合わされることで支柱部に支持される。このため、本発明によれば、集塵ユニットを一時的に取り外した状態で掃除機本体を掃除機スタンドに載置することができる。
【図面の簡単な説明】
【０００８】
【図１】本発明の実施の形態１における電気掃除機の第１の斜視図である。
【図２】本発明の実施の形態１における電気掃除機の第２の斜視図である。
【図３】本発明の実施の形態１における掃除機セットの第１の斜視図である。
【図４】本発明の実施の形態１における掃除機セットの第２の斜視図である。
【図５】本発明の実施の形態１における掃除機スタンドの第１の斜視図である。
【図６】本発明の実施の形態１における掃除機スタンドの第２の斜視図である。
【図７】本発明の実施の形態１における台座部の拡大図である。
【図８】本発明の実施の形態１における延長管及び吸込具の第１の斜視図である。
【図９】本発明の実施の形態１における延長管及び吸込具の第２の斜視図である。
【図１０】本発明の実施の形態１における吸込具の拡大図である。
【図１１】本発明の実施の形態１における台座部及び吸込具の第１の垂直断面図である。
【図１２】本発明の実施の形態１における台座部及び吸込具の水平断面図である。
【図１３】本発明の実施の形態１における延長管及び吸込具の第３の斜視図である。
【図１４】本発明の実施の形態１における台座部及び吸込具の第２の垂直断面図である。
【図１５】本発明の実施の形態１における台座部及び吸込具の第１の模式図である。
【図１６】本発明の実施の形態１における台座部及び吸込具の第２の模式図である。
【図１７】本発明の実施の形態１における掃除機スタンドの第３の斜視図である。
【図１８】本発明の実施の形態１における掃除機本体の第１の斜視図である。
【図１９】本発明の実施の形態１における掃除機本体の第２の斜視図である。
【図２０】本発明の実施の形態１における掃除機セットが掃除機スタンドに載置される様子を示す斜視図である。
【図２１】本発明の実施の形態１における掃除機セットが掃除機スタンドに載置される様子を示す側面図である。
【図２２】本発明の実施の形態１における本体載置部周辺の垂直断面図である。
【図２３】本発明の実施の形態１における掃除機本体が掃除機スタンドに載置される様子を示す側面図である。
【図２４】本発明の実施の形態１における掃除機本体が掃除機スタンドに載置された状態を示す第１の斜視図である。
【図２５】本発明の実施の形態１における掃除機本体が掃除機スタンドに載置された状態を示す第２の斜視図である。
【図２６】本発明の実施の形態１における延長管及び吸込具が掃除機スタンドに載置された状態を示す斜視図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、本発明の実施の形態１における電気掃除機の第１の斜視図である。図２は、本発明の実施の形態１における電気掃除機の第２の斜視図である。図１は、電気掃除機１の前面及び左側面を主に示している。図２は、電気掃除機１の背面及び左側面を主に示している。
【００１１】
図１及び図２に示すように、電気掃除機１は、掃除機セット２及び掃除機スタンド３を備えている。掃除機セット２は、掃除機スタンド３に着脱自在に載置される。掃除機スタンド３は、掃除機セット２を直立した状態で載置可能に形成されている。
【００１２】
掃除機セット２は、図示しない蓄電池を備えたコードレスタイプのスティック型掃除機である。掃除機スタンド３は、図示しない電源ケーブルを有している。蓄電池は、例えば、電源ケーブルが外部電源に接続された状態で掃除機セット２が掃除機スタンド３に載置されることで充電される。
【００１３】
図３は、本発明の実施の形態１における掃除機セットの第１の斜視図である。図４は、本発明の実施の形態１における掃除機セットの第２の斜視図である。図３は、掃除機セット２の前面及び左側面を主に示している。図４は、掃除機セット２の背面及び左側面を主に示している。
【００１４】
図３及び図４に示すように、掃除機セット２は、掃除機本体４、延長管５、吸込具６及び集塵ユニット７を有している。図３及び図４において、吸込具６は、延長管５を介して掃除機本体４に接続されている。図３及び図４において、集塵ユニット７は、掃除機本体４に取り付けられている。
【００１５】
延長管５の一端部は、掃除機本体４に接続可能に形成されている。延長管５の他端部は、吸込具６に接続可能に形成されている。吸込具６は、延長管５の他端部及び掃除機本体４のいずれにも接続可能に形成されている。集塵ユニット７は、掃除機本体４に対して着脱可能に形成されている。また、集塵ユニット７は、取り外して洗浄することが可能に成形されている。
【００１６】
掃除機本体４の内部には、吸引力を発生させる図示しない電動送風機が設けられている。また、掃除機本体４の内部には、当該電動送風機に電力を供給する図示しない蓄電池が設けられている。延長管５及び吸込具６は、当該電動送風機による吸引力が作用する通風路を形成する。集塵ユニット７は、通風路の途中に介在して塵埃を捕集するための装置である。集塵ユニット７は、例えば、内部に図示しない旋回室を備えたサイクロン式の装置である。なお、集塵ユニット７は、サイクロン式に限らず、例えば、内部に紙パック等を装着する方式のものでもよい。
【００１７】
掃除機本体４の内部の電動送風機が駆動されると、通風路に吸引力が作用し、吸込具６から空気とともに塵埃が吸い込まれる。吸い込まれた空気及び塵埃は、延長管５の内部を通過し、集塵ユニット７の内部に流入する。集塵ユニット７では、空気と塵埃とが分離され、塵埃のみが捕集される。
【００１８】
図５は、本発明の実施の形態１における掃除機スタンドの第１の斜視図である。図６は、本発明の実施の形態１における掃除機スタンドの第２の斜視図である。図５は、掃除機スタンド３の前面及び左側面を主に示している。図６は、掃除機スタンド３の背面及び左側面を主に示している。
【００１９】
図５及び図６に示すように、掃除機スタンド３は、台座部８及び支柱部９を有している。支柱部９は、台座部８から直立して形成されている。支柱部９は、例えば、台座部８の左右方向における中央に形成されている。台座部８の前部には、吸込具載置部１０が形成されている。台座部８の左側面には、排気口１１が形成されている。支柱部９の前面には、上下方向に沿って後方に凹んだ支柱前面凹部１２が形成されている。支柱前面凹部１２は、例えば、支柱部９の前面の左右方向における中央に形成されている。支柱部９の上面には、本体載置部１３が形成されている。支柱部９の背面には、吸気口１４が形成されている。
【００２０】
支柱部９の内部には、図示しない第１フィルタ及び第２フィルタが設けられている。第１フィルタは、吸気口１４の内側に配置されている。第２フィルタは、第１フィルタの内側に配置されている。第１フィルタは、例えば、大きな塵埃を捕集するためのプレフィルタ等である。第２フィルタは、例えば、微細な塵埃を捕集するためのＨＥＰＡフィルタ等である。
【００２１】
図７は、本発明の実施の形態１における台座部の拡大図である。図７は、台座部８の前面及び左側面を主に示している。
【００２２】
図７に示すように、吸込具載置部１０は、床部１５及び壁部１６を有している。床部１５は、前後方向において、台座部８の前端付近から支柱部９の前端付近にかけて形成されている。床部１５は、左右方向において、台座部８の左端付近から右端付近にかけて形成されている。壁部１６は、床部１５の後端から上方に連続するように形成されている。壁部１６は、後方に凹んで形成されている。
【００２３】
図７に示すように、床部１５は、上方に突き出した突起１７を有している。突起１７は、例えば、床部１５の前後方向及び左右方向における中央に形成されている。突起１７は、例えば、上下方向から見て、左右方向に沿った長辺及び前後方向に沿った短辺を有する矩形状に形成されている。
【００２４】
図７に示すように、吸込具載置部１０には、後輪収納部１８が形成されている。後輪収納部１８は、壁部１６から更に後方に凹んだ空間である。吸込具載置部１０には、後輪収納部１８として、第１後輪収納部１８ａ及び第２後輪収納部１８ｂが形成されている。第１後輪収納部１８ａは、例えば、左右方向において、突起１７よりも左側に形成されている。第２後輪収納部１８ｂは、例えば、左右方向において、突起１７よりも右側に形成されている。
【００２５】
図８は、本発明の実施の形態１における延長管及び吸込具の第１の斜視図である。図９は、本発明の実施の形態１における延長管及び吸込具の第２の斜視図である。図８は、延長管５と接続された吸込具６の前面及び左側面を主に示している。図９は、延長管５と接続された吸込具６の背面及び左側面を主に示している。
【００２６】
図８及び図９に示すように、吸込具６は、吸込具本体１９、接続管２０及びエルボ２１を有している。図８及び図９において、接続管２０の一端部は、延長管５の他端部に接続されている。接続管２０の一端部は、延長管５の他端部及び掃除機本体４のいずれにも接続可能に形成されている。接続管２０の他端部は、エルボ２１に接続されている。吸込具本体１９は、エルボ２１を介して接続管２０の他端部と接続されている。
【００２７】
図９に示すように、吸込具６は、後輪２２を有している。後輪２２は、吸込具本体１９の後部に設けられている。吸込具本体１９には、後輪２２として、第１後輪２２ａ及び第２後輪２２ｂが設けられている。第１後輪２２ａは、例えば、左右方向において、接続管２０及びエルボ２１よりも左側に設けられている。第２後輪２２ｂは、例えば、左右方向において、接続管２０及びエルボ２１よりも右側に設けられている。
【００２８】
図１０は、本発明の実施の形態１における吸込具の拡大図である。図１０は、吸込具６の背面及び左側面を主に示している。
【００２９】
図１０に示すように、エルボ２１は、上部２１ａと下部２１ｂとが異なる構造に形成されている。エルボ２１の上部２１ａは、接続管２０に接続されている。エルボ２１の下部２１ｂは、吸込具本体１９に接続されている。
【００３０】
エルボ２１の上部２１ａは、接続管２０の他端部に対して回転可能である。エルボ２１の上部２１ａは、接続管２０が垂直な状態において後方に傾くように形成されている。接続管２０は、エルボ２１の上部２１ａに対して回転することで、吸込具本体１９に対して左右方向に沿って回転可能である。つまり、接続管２０と接続されている延長管５は、吸込具本体１９に対して左右方向に沿って回転可能である。エルボ２１の下部２１ｂは、予め設定された角度範囲で、前後方向に沿って吸込具本体１９に対して回転可能である。つまり、接続管２０と接続されている延長管５は、予め設定された角度範囲で、前後方向に沿って吸込具本体１９に対して回転可能である。
【００３１】
図１０に示すように、吸込具本体１９は、後輪２２が取り付けられた後輪支持部２３を有している。吸込具本体１９の後部には、後輪支持部２３として、第１後輪支持部２３ａ及び第２後輪支持部２３ｂが形成されている。第１後輪支持部２３ａは、第１後輪２２ａを左右から挟むように配置されている。第２後輪支持部２３ｂは、第２後輪２２ｂを左右から挟むように配置されている。後輪支持部２３の上端部は、後端に近づくにつれて低くなるように傾斜して形成されている。
【００３２】
図１１は、本発明の実施の形態１における台座部及び吸込具の第１の垂直断面図である。図１１は、掃除機セット２が掃除機スタンド３に載置された状態における後輪収納部１８周辺の垂直断面を示している。
【００３３】
吸込具本体１９は、掃除機セット２が掃除機スタンド３に載置された状態において、吸込具載置部１０に載置される。床部１５は、吸込具本体１９が吸込具載置部１０に載置された状態において、吸込具本体１９の底面と対向する。壁部１６は、吸込具本体１９が吸込具載置部１０に載置された状態において、吸込具本体１９の後部を覆い隠す。後輪２２は、吸込具本体１９が吸込具載置部１０に載置された状態において、後輪収納部１８に納まる。
【００３４】
図１２は、本発明の実施の形態１における台座部及び吸込具の水平断面図である。図１２は、掃除機セット２が掃除機スタンド３に載置された状態における吸込具本体１９周辺の水平断面を示している。
【００３５】
図１２に示すように、台座部８の内部には、送風機２４が設けられている。送風機２４は、壁部１６の後方に位置している。送風機２４は、羽根車室２４ａ及び羽根車室２４ａに収納された羽根車２４ｂを有している。羽根車室２４ａは、上下方向から見て円状を呈している。つまり、羽根車室２４ａの側壁は、曲線状に形成されている。後輪収納部１８は、壁部１６と羽根車室２４ａとの間の空間である。
【００３６】
送風機２４は、吸気口１４から排気口１１に至る空気の流れを発生させる。送風機２４が駆動されると、吸気口１４から支柱部９の内部に空気が吸い込まれる。吸気口１４から吸い込まれた空気は、第１フィルタ及び第２フィルタを順番に通過する。吸気口１４から吸い込まれた空気に含まれる塵埃は、第１フィルタ及び第２フィルタによって除去される。塵埃が除去された空気は、支柱部９の内部を下方に流れ、台座部８の内部の送風機２４を通過する。送風機２４を通過した空気は、排気口１１から外部に吹き出される。このように、掃除機スタンド３は、周囲の空気を清浄化する空気清浄機能を有している。
【００３７】
図１３は、本発明の実施の形態１における延長管及び吸込具の第３の斜視図である。図１３は、吸込具本体１９の底面を主に示している。
【００３８】
図１３に示すように、吸込具本体１９の底面側には、回転ブラシ２５が設けられている。回転ブラシ２５は、吸込具本体１９の左右方向に沿った軸に取り付けられている。延長管５及び吸込具６は、図示しない導線を内部に有している。延長管５及び吸込具６が掃除機本体４に接続されると、当該導線は、掃除機本体４の内部の蓄電池と電気的に接続される。回転ブラシ２５は、当該蓄電池から供給される電力により駆動される。
【００３９】
図１３に示すように、吸込具本体１９の底面には、上方に凹んだ吸込具凹部２６が形成されている。吸込具凹部２６は、例えば、吸込具本体１９の前後方向及び左右方向における中央に形成されている。吸込具凹部２６は、例えば、上下方向から見て、左右方向に沿った長辺及び前後方向に沿った短辺を有する矩形状に形成されている。吸込具凹部２６は、吸込具本体１９が吸込具載置部１０に載置された状態において突起１７に対向する箇所に形成されている。つまり、突起１７は、吸込具本体１９が吸込具載置部１０に載置された状態において吸込具凹部２６に対向する箇所に形成されている。
【００４０】
図１４は、本発明の実施の形態１における台座部及び吸込具の第２の垂直断面図である。図１４は、吸込具本体１９が吸込具載置部１０に載置された状態における突起１７付近の垂直断面を示している。
【００４１】
図１４に示すように、突起１７の先端部は、吸込具本体１９が吸込具載置部１０に載置された状態において、吸込具凹部２６の内側に位置する。突起１７は、先端に近付くにつれて前後方向の厚みが小さくなるように形成されている。つまり、突起１７の先端部は、床部１５から離れるにつれて細くなるように傾斜して形成されている。突起１７は、吸込具本体１９が吸込具載置部１０に載置された状態において、吸込具凹部２６の内壁及び天井に接触しない。つまり、突起１７は、吸込具本体１９が吸込具載置部１０に載置された状態において吸込具凹部２６の内側に位置し且つ吸込具本体１９との間に隙間が生じる形状及び大きさに形成されている。
【００４２】
図１５は、本発明の実施の形態１における台座部及び吸込具の第１の模式図である。図１６は、本発明の実施の形態１における台座部及び吸込具の第２の模式図である。図１５及び図１６は、吸込具本体１９が吸込具載置部１０に載置される様子を示している。
【００４３】
図１５は、接続管２０が垂直となる状態で吸込具６を上から下に下ろしていく様子を示している。図１５に示すように、このとき、吸込具本体１９の前端は真下を向いていない。吸込具本体１９は、前端がエルボ２１の下部２１ｂよりも前方に位置するように傾いている。つまり、エルボ２１の下部が吸込具本体１９に対して回転可能な角度範囲は、接続管２０が垂直となる状態で吸込具６が保持された場合に、吸込具本体１９の前端がエルボ２１よりも前方に位置するように設定されている。
【００４４】
図１５及び図１６に示すように、壁部１６は、上部に庇状部位２７を有している。庇状部位２７は、吸込具本体１９が吸込具載置部１０に載置された状態において、吸込具本体１９の上面の後端部を上から覆う。庇状部位２７の上面は、前端に近づくにつれて低くなる曲面である。また、後輪支持部２３の上端部は、後端に近づくにつれて低くなるように傾斜している。
【００４５】
図１７は、本発明の実施の形態１における掃除機スタンドの第３の斜視図である。図１７は、支柱部９の上面に形成された本体載置部１３を主に示している。
【００４６】
図１７に示すように、本体載置部１３の外形は、上下方向から見て円状を呈している。本体載置部１３の前端部には、下方に凹んだスタンド側凹部２９が形成されている。スタンド側凹部２９は、上下方向から見て、本体載置部１３の外形の内側に位置している。スタンド側凹部２９は、支柱前面凹部１２の上端と隣接する位置に形成されている。スタンド側凹部２９は、スタンド側端子２９ａを有している。スタンド側端子２９ａは、例えば、スタンド側凹部２９の後側の内壁に設けられている。スタンド側端子２９ａは、掃除機スタンド３の内部で電源ケーブルと電気的に接続されている。
【００４７】
図１８は、本発明の実施の形態１における掃除機本体の第１の斜視図である。図１９は、本発明の実施の形態１における掃除機本体の第２の斜視図である。図１８は、掃除機本体４に集塵ユニット７が取り付けられた状態を示している。図１９は、掃除機本体４から集塵ユニット７が取り外された状態を示している。
【００４８】
図１８及び図１９に示すように、掃除機本体４は、取っ手３０、吸込管３１及び本体側凸部３２を有している。取っ手３０は、使用者が清掃時に把持するためのものである。取っ手３０は、掃除機本体４の前面に設けられている。吸込管３１は、掃除機本体４の前端から下向きに延びている。吸込管３１は、外観上は取っ手３０の下端に連続するように形成されている。吸込管３１の下端には、吸込口３３が形成されている。吸込口３３は、延長管５及び吸込具６のいずれにも接続可能に形成されている。本体側凸部３２は、吸込管３１の後側に固定されている。本体側凸部３２は、吸込口３３よりも上方に位置している。本体側凸部３２は、下方に突き出した形状に形成されている。集塵ユニット７は、掃除機本体４に取り付けられた状態において、本体側凸部３２よりも上方に位置する。
【００４９】
図１９に示すように、吸込管３１の背面には、流入口３４が形成されている。流入口３４は、本体側凸部３２よりも上方に位置している。流入口３４は、集塵ユニット７が掃除機本体４に取り付けられている場合に、集塵ユニット７と対向する位置に形成されている。吸込管３１は、集塵ユニット７が掃除機本体４に取り付けられている場合に、流入口３４を介して集塵ユニット７の内部に通じる。
【００５０】
本体側凸部３２は、本体側端子３２ａを有している。本体側端子３２ａは、例えば、本体側凸部３２の後側の面に設けられている。本体側端子３２ａは、掃除機本体４の内部で蓄電池と電気的に接続されている。
【００５１】
吸込管３１は、図示しない導線を内部に有している。当該導線は、掃除機本体４の内部の蓄電池と電気的に接続されている。吸込口３３に延長管５及び吸込具６が接続されると、当該導線は、延長管５及び吸込具６の内部の導線と電気的に接続される。
【００５２】
図２０は、本発明の実施の形態１における掃除機セットが掃除機スタンドに載置される様子を示す斜視図である。図２１は、本発明の実施の形態１における掃除機セットが掃除機スタンドに載置される様子を示す側面図である。図２０は、掃除機セット２及び掃除機スタンド３の前面及び左側面を主に示している。図２１は、掃除機セット２及び掃除機スタンド３の左側面を示している。
【００５３】
図２０及び図２１に示すように、掃除機セット２は、上方から下ろすようにして掃除機スタンド３に載置される。掃除機本体４は、吸込管３１が支柱部９の前面に沿った状態で、本体側凸部３２とスタンド側凹部２９とが嵌め合わされることで、支柱部９に支持される。つまり、掃除機セット２は、吸込管３１及び延長管５が支柱前面凹部１２に沿って案内されながら本体側凸部３２がスタンド側凹部２９に嵌め合わされることで、掃除機スタンド３に支持される。掃除機セット２が掃除機スタンド３に載置されると、集塵ユニット７は、底面が本体載置部１３と対向した状態で保持される。掃除機セット２が掃除機スタンド３に載置されると、延長管５は、支柱前面凹部１２に沿って保持される。
【００５４】
図２２は、本発明の実施の形態１における本体載置部周辺の垂直断面図である。図２２は、掃除機セット２が掃除機スタンド３に載置された状態における本体載置部１３周辺の垂直断面を示している。
【００５５】
図２２に示すように、掃除機本体４は、本体側凸部３２が上方からスタンド側凹部２９に嵌まり込むことで、支柱部９に支持されている。この状態において、本体側凸部３２の本体側端子３２ａは、スタンド側凹部２９のスタンド側端子２９ａと接触している。このとき、掃除機本体４の内部の蓄電池は、掃除機スタンド３の電源ケーブルと電気的に接続されている。
【００５６】
図２３は、本発明の実施の形態１における掃除機本体が掃除機スタンドに載置される様子を示す側面図である。図２４は、本発明の実施の形態１における掃除機本体が掃除機スタンドに載置された状態を示す第１の斜視図である。図２３は、掃除機本体４及び掃除機スタンド３の左側面を示している。図２４は、掃除機本体４及び掃除機スタンド３の前面及び左側面を主に示している。
【００５７】
図２３及び図２４に示すように、掃除機本体４は、延長管５及び吸込具６が取り外された状態であっても、掃除機スタンド３に載置可能である。掃除機本体４は、吸込管３１が支柱前面凹部１２に沿って案内されながら本体側凸部３２がスタンド側凹部２９に嵌め合わされることで、支柱部９に支持される。この場合も、集塵ユニット７は、底面が本体載置部１３と対向した状態で保持される。
【００５８】
図２５は、本発明の実施の形態１における掃除機本体が掃除機スタンドに載置された状態を示す第２の斜視図である。図２５は、掃除機本体４及び掃除機スタンド３の前面及び左側面を主に示している。
【００５９】
図２５に示すように、掃除機本体４は、延長管５、吸込具６及び集塵ユニット７が取り外された状態であっても、掃除機スタンド３に載置可能である。つまり、掃除機スタンド３は、掃除機本体４のみを支持することが可能である。この場合も、掃除機本体４は、吸込管３１が支柱前面凹部１２に沿って案内されながら本体側凸部３２がスタンド側凹部２９に嵌め合わされることで、支柱部９に支持される。なお、図示しないが、掃除機本体４は、延長管５及び吸込具６が接続され集塵ユニット７が取り付けられていない状態であっても、掃除機スタンド３に載置可能である。つまり、掃除機本体４は、集塵ユニット７が取り付けられているか否かに関係なく、本体側凸部３２とスタンド側凹部２９とが嵌め合わされることで、支柱部９に支持される。
【００６０】
図２６は、本発明の実施の形態１における延長管及び吸込具が掃除機スタンドに載置された状態を示す斜視図である。図２６は、延長管５と接続された吸込具６及び掃除機スタンド３の前面及び左側面を主に示している。
【００６１】
図２６に示すように、延長管５及び吸込具６は、掃除機本体４に接続されていない状態であっても、掃除機スタンド３に載置可能である。この場合も、吸込具本体１９は、掃除機セット２が掃除機スタンド３に載置された場合と同様に、吸込具載置部１０に載置される。延長管５は、支柱前面凹部１２に沿うことにより、左右へ倒れることなく保持される。つまり、延長管５は、吸込具６に接続されている場合は、掃除機本体４に接続されているか否かに関係なく、吸込具本体１９が吸込具載置部１０に載置された状態において、支柱前面凹部１２に沿って保持される。なお、図示しないが、吸込具６は、延長管５が接続されていない状態であっても、掃除機スタンド３に載置可能である。
【００６２】
電気掃除機１において、台座部８の意匠は、吸込具６の意匠と関連付けられたものである。つまり、台座部８及び吸込具６は、例えば、互いに関連付けられた形状、模様若しくは色彩又はこれらの結合等を有するように形成されている。
【００６３】
実施の形態１において、吸込具載置部１０は、床部１５及び壁部１６を有している。壁部１６は、後方に凹んで形成され、吸込具本体１９が吸込具載置部１０に載置された状態において吸込具本体１９の後部を覆い隠す。このため、本発明によれば、吸込具６と台座部８との一体性を高め、載置された吸込具本体１９のズレを防止するとともに、電気掃除機１の美観を向上させることができる。また、埃の堆積等により吸込具６が汚れることを抑制することができる。
【００６４】
実施の形態１において、吸込具載置部１０には、壁部１６から更に後方に凹んだ空間である後輪収納部１８が形成されている。吸込具本体１９の後部に設けられた後輪２２は、吸込具本体１９が吸込具載置部１０に載置された状態において、後輪収納部１８に納まる。このため、吸込具６と吸込具載置部１０との一体性をより高め、載置された吸込具本体１９のズレを防止することができる。また、埃の堆積等により後輪２２が汚れることを抑制することができる。
【００６５】
実施の形態１において、台座部８の内部には、円状の羽根車室２４ａ及び羽根車室２４ａに収納された羽根車２４ｂを有し、掃除機スタンド３の周囲の空気を清浄化するために用いられる送風機２４が設けられている。後輪収納部１８は、壁部１６と羽根車室２４ａとの間の空間である。つまり、台座部８の内部では、直線的な壁部１６と羽根車室２４ａの曲線的な側壁との間に生じる空き空間が後輪収納部１８として利用されている。このため、部品実装性に優れた省スペースな掃除機スタンド３を実現することができる。
【００６６】
実施の形態１において、後輪支持部２３の上端部は、後端に近づくにつれて低くなるように傾斜している。このため、吸込具本体１９を吸込具載置部１０から外す際に、後輪支持部２３が後輪収納部１８及び庇状部位２７に引っ掛かることを防止できる。その結果、掃除機スタンド３から掃除機セット２を持ち上げ易くなり、使用者の利便性を向上させることができる。
【００６７】
実施の形態１において、庇状部位２７の上面は、前端に近づくにつれて低くなる曲面である。このため、吸込具本体１９の底面を当該曲面上で滑らせるようにして吸込具本体１９を吸込具載置部１０に載置することができる。その結果、掃除機スタンド３に掃除機セット２を載置し易くなり、使用者の利便性を向上させることができる。
【００６８】
実施の形態１において、吸込具本体１９の底面には、上方に凹んだ吸込具凹部２６が形成されている。床部１５は、吸込具本体１９が吸込具載置部１０に載置された状態において吸込具凹部２６に対向する箇所に形成され、上方に突き出した突起１７を有している。突起１７は、吸込具本体１９が吸込具載置部１０に載置された状態において、吸込具凹部２６と緩やかに嵌め合わされる。このため、吸込具６と吸込具載置部１０との一体性をより高め、載置された吸込具本体１９のズレを防止することができる。
【００６９】
実施の形態１において、突起１７の先端部は、床部１５から離れるにつれて細くなるように傾斜して形成されている。突起１７は、吸込具本体１９が吸込具載置部１０に載置された状態において、吸込具凹部２６の内側に位置し且つ吸込具本体１９に接触しない大きさに形成されている。このため、例えば、突起１７に突き当たって吸込具本体１９が浮いてしまうことを防止できる。その結果、載置された吸込具本体１９のズレを防止することができる。
【００７０】
実施の形態１において、吸込具６のエルボ２１は、予め設定された角度範囲で、吸込具本体１９に対して前後方向に沿って回転可能である。当該角度範囲は、接続管２０が垂直となる状態で吸込具６が保持された場合に吸込具本体１９の前端がエルボ２１よりも前方に位置するように設定されている。吸込具本体１９が吸込具載置部１０に載置される際に、吸込具本体１９の前端が床部１５に衝突することがない。その結果、掃除機スタンド３に掃除機セット２を載置し易くなり、使用者の利便性を向上させることができる。
【００７１】
実施の形態１において、延長管５は、吸込具６に接続されている場合は、掃除機本体４に接続されているか否かに関係なく、吸込具本体１９が吸込具載置部１０に載置された状態において支柱前面凹部１２に沿って保持される。このため、例えば、延長管５及び吸込具６を接続せずにハンディ式掃除機として掃除機本体４を使用する場合に、延長管５及び吸込具６だけを掃除機スタンド３に載置しておくことができる。その結果、使用者の利便性を向上させることができる。
【００７２】
実施の形態１において、台座部８の意匠は、吸込具本体１９が吸込具載置部１０に載置された状態において、吸込具６の意匠と関連付けられたものである。このため、吸込具６と台座部８との統一感を高め、電気掃除機１の美観を向上させることができる。
【００７３】
実施の形態１において、掃除機本体４は、前端部から下向きに延び、延長管５及び吸込具６が接続可能である吸込口３３が形成された吸込管３１を有している。掃除機本体４は、吸込口３３よりも上方の位置で吸込管３１の後側に設けられ、下方に突き出した本体側凸部３２を有している。支柱部９の上面の前端部には、下方に凹んだスタンド側凹部２９が形成されている。掃除機本体４は、吸込管３１が支柱部９の前面に沿った状態で、本体側凸部３２とスタンド側凹部２９とが嵌め合わされることで支柱部９に支持される。このため、使用者は、吸込管３１を支柱部９の前面に沿わせるようにすることで、容易に掃除機本体４を掃除機スタンド３に載置できる。その結果、本発明によれば、掃除機本体４を掃除機スタンド３に載置し易くすることができる。
【００７４】
実施の形態１において、掃除機本体４は、吸込管３１が支柱前面凹部１２に沿って案内されながら本体側凸部３２がスタンド側凹部２９に嵌め合わされることで、支柱部９に支持される。掃除機セット２は、吸込管３１及び延長管５が支柱前面凹部１２に沿って案内されながら本体側凸部３２がスタンド側凹部２９に嵌め合わされることで、掃除機スタンド３に支持される。このため、使用者は、吸込管３１及び延長管５の一方又は双方を支柱前面凹部１２に沿わせるようにすることで、容易に掃除機本体４又は掃除機セット２を掃除機スタンド３に載置できる。その結果、より掃除機本体４又は掃除機セット２を掃除機スタンド３に載置し易くすることができる。
【００７５】
実施の形態１において、掃除機本体４は、前端部から下向きに延びた吸込管３１を有している。掃除機本体４は、吸込管３１の後側に固定され、下方に突き出した本体側凸部３２を有している。集塵ユニット７は、掃除機本体４に取り付けられている状態において本体側凸部３２よりも上方に位置している。支柱部９の上面の前端部には、下方に凹んだスタンド側凹部２９が形成されている。掃除機本体４は、集塵ユニット７が取り付けられているか否かに関係なく、本体側凸部３２とスタンド側凹部２９とが嵌め合わされることで支柱部９に支持される。つまり、本発明によれば、集塵ユニット７を一時的に取り外した状態で、掃除機本体４を掃除機スタンド３に載置することができる。このため、例えば、集塵ユニット７を取り外してごみ捨て及び洗浄等を行う際に、掃除機本体４を床等に直置きする必要がない。その結果、使用者の利便性を向上させることができる。
【００７６】
実施の形態１において、吸込管３１には、本体側凸部３２よりも下方に位置し、延長管５が接続可能である吸込口３３が形成されている。吸込管３１には、本体側凸部３２よりも上方に位置し、集塵ユニット７が掃除機本体４に取り付けられている場合に集塵ユニット７の内部に通じる流入口３４が形成されている。支柱部９の前面には、上下方向に沿って後方に凹んだ支柱前面凹部１２が形成されている。吸込管３１及び吸込口３３に接続されている延長管５は、掃除機本体４が支柱部９に支持された状態において、支柱前面凹部１２に沿って保持される。このため、掃除機セット２から集塵ユニット７だけが取り外された状態であっても、吸込管３１及び延長管５を安定して保持することができる。
【００７７】
実施の形態１において、スタンド側凹部２９は、スタンド側端子２９ａを有している。本体側凸部３２は、スタンド側凹部２９と嵌め合わされた状態でスタンド側端子２９ａと接触する本体側端子３２ａを有している。掃除機本体４の内部には、本体側端子３２ａとスタンド側端子２９ａとが接触している状態で充電される蓄電池が設けられている。このため、例えば、集塵ユニット７を取り外してごみ捨て及び洗浄等を行っている間に蓄電池を充電することができる。その結果、使用者の利便性を向上させることができる。また、掃除機本体４を掃除機スタンド３に支持させるための本体側凸部３２及びスタンド側凹部２９と充電用の端子とが同じ箇所であるため、より簡単な構成で、コードレスタイプのスティック型掃除機を実現できる。
【産業上の利用可能性】
【００７８】
以上のように、本発明は、集塵ユニットを一時的に取り外した状態で掃除機本体が掃除機スタンドに載置される電気掃除機に利用できる。
【符号の説明】
【００７９】
１  電気掃除機
２  掃除機セット
３  掃除機スタンド
４  掃除機本体
５  延長管
６  吸込具
７  集塵ユニット
８  台座部
９  支柱部
１０  吸込具載置部
１１  排気口
１２  支柱前面凹部
１３  本体載置部
１４  吸気口
１５  床部
１６  壁部
１７  突起
１８  後輪収納部
１８ａ  第１後輪収納部
１８ｂ  第２後輪収納部
１９  吸込具本体
２０  接続管
２１  エルボ
２１ａ  上部
２１ｂ  下部
２２  後輪
２２ａ  第１後輪
２２ｂ  第２後輪
２３  後輪支持部
２３ａ  第１後輪支持部
２３ｂ  第２後輪支持部
２４  送風機
２４ａ  羽根車室
２４ｂ  羽根車
２５  回転ブラシ
２６  吸込具凹部
２７  庇状部位
２９  スタンド側凹部
２９ａ  スタンド側端子
３０  取っ手
３１  吸込管
３２  本体側凸部
３２ａ  本体側端子
３３  吸込口
３４  流入口
【図１】
2016114046.tif 000003
【図２】
2016114046.tif 000004
【図３】
2016114046.tif 000005
【図４】
2016114046.tif 000006
【図５】
2016114046.tif 000007
【図６】
2016114046.tif 000008
【図７】
2016114046.tif 000009
【図８】
2016114046.tif 000010
【図９】
2016114046.tif 000011
【図１０】
2016114046.tif 000012
【図１１】
2016114046.tif 000013
【図１２】
2016114046.tif 000014
【図１３】
2016114046.tif 000015
【図１４】
2016114046.tif 000016
【図１５】
2016114046.tif 000017
【図１６】
2016114046.tif 000018
【図１７】
2016114046.tif 000019
【図１８】
2016114046.tif 000020
【図１９】
2016114046.tif 000021
【図２０】
2016114046.tif 000022
【図２１】
2016114046.tif 000023
【図２２】
2016114046.tif 000024
【図２３】
2016114046.tif 000025
【図２４】
2016114046.tif 000026
【図２５】
2016114046.tif 000027
【図２６】
2016114046.tif 000028
【国際調査報告】
2016114046.tif 000029
2016114046.tif 000030